(57)【要約】【課題】印鑑照会機を小型化することができ、コストを低くすることができるようにする。【解決手段】顧客ごとに登録されている印鑑の登録印影が格納された印鑑サーバと、操作者による操作に基づいて、照会した口座番号に対応する複数の印鑑の登録印影のうちの一つの登録印影を選択し、表示部１２に表示する登録印影表示処理手段と、照会した口座番号に対応させて、印鑑の登録状況を登録印鑑情報表示部１４に印鑑の種類で表示し、かつ、前記表示部１２の画面に表示された登録印影を特定する登録印鑑情報表示処理手段とを有する。この場合、登録印鑑情報表示部１４に、照会した口座番号に対応させて、印鑑の登録状況が印鑑の種類で表示されるので、表示部１２の画面に現在表示されている登録印影の印鑑の種類だけでなく、ほかに登録されている印鑑の種類を知ることができる。【選択図】図１
2005085196.tif 000002
【特許請求の範囲】
【請求項１】
（ａ）顧客ごとに登録されている印鑑の登録印影が格納された印鑑サーバと、
（ｂ）操作者による操作に基づいて、照会した口座番号に対応する複数の印鑑の登録印影のうちの一つの登録印影を選択し、表示部に表示する登録印影表示処理手段と、
（ｃ）照会した口座番号に対応させて、印鑑の登録状況を登録印鑑情報表示部に印鑑の種類で表示し、かつ、前記表示部の画面に表示された登録印影を特定する登録印鑑情報表示処理手段とを有することを特徴とする印鑑照会機。
【請求項２】
（ａ）前記印鑑サーバに格納されている複数の登録印影のうちの、照会した口座番号に対応する複数の印鑑の登録印影を格納する登録印影格納部を有するとともに、
（ｂ）前記登録印鑑情報表示処理手段は、前記登録印影格納部に格納された登録印影に基づいて、印鑑の登録状況を前記登録印鑑情報表示部に表示する請求項１に記載の印鑑照会機。
【請求項３】
前記登録印鑑情報表示部は印鑑照会機のフレームの所定の領域に形成される請求項１に記載の印鑑照会機。
【請求項４】
前記登録印鑑情報表示部は前記表示部の画面に設定される請求項１に記載の印鑑照会機。
【請求項５】
前記登録印影表示処理手段は、操作者による操作部の操作に基づいて、登録印影を選択する請求項１に記載の印鑑照会機。
【請求項６】
前記操作部は前記表示部と別に配設される請求項５に記載の印鑑照会機。
【請求項７】
前記操作部は前記表示部の画面に設定される請求項５に記載の印鑑照会機。
【発明の詳細な説明】
【技術分野】
【０００１】
本発明は、印鑑照会機に関するものである。
【背景技術】
【０００２】
従来、金融機関等においては、顧客によって持ち込まれた印鑑票の印影とあらかじめ登録されている印鑑の印影、すなわち、登録印影とを照合するために印鑑照会機が使用される。
【０００３】
図２は従来の印鑑照会機の斜視正面図、図３は従来の印鑑照会機の要部斜視側面図、図４は従来の印鑑照会機及び印鑑サーバのブロック図である。
【０００４】
図において、１０１は筐（きょう）体、１０２はＬＣＤ、ＣＲＴ等から成る表示部、１０３は、顧客の口座番号、印鑑の登録番号等を入力したり、その他の操作を行ったりするための操作部、１０６は顧客によって持ち込まれた印鑑票、１０７は該印鑑票１０６に表示された印影、１０８は、あらかじめ金融機関に登録され、前記表示部１０２の画面に実際の印影１０７と同一寸法で表示された登録印影である。そして、金融機関の操作者（テラー）は、顧客から持ち込まれた印鑑票１０６に形成された印影１０７と登録印影１０８とを目視によって比べ、同じであるかどうかを判断するようにしている。
【０００５】
また、１２１は印鑑照会機の全体の制御を行うＣＰＵ、１２７は顧客ごとの登録印影１０８が格納された印鑑サーバ、１２２は該印鑑サーバ１２７との間で通信を行うためのインタフェース部、１２４はメモリ部、１２５は前記表示部１０２の画面に表示される画像を処理する画像処理部である。
【０００６】
前記構成の印鑑照会機において、印影１０７と登録印影１０８とを照合する場合、操作者が操作部１０３を操作して顧客の口座番号、印鑑の登録番号等を入力すると、入力された口座番号、登録番号等に対応する登録印影１０８が、印鑑サーバ１２７から読み出され、表示部１０２の画面に表示される。なお、該表示部１０２の画面に表示される登録印影１０８の大きさと実際の印影の大きさとは等しい。
【０００７】
そして、操作者は、図２に示されるように、印鑑票１０６を表示部１０２の横に置き、印影１０７と登録印影１０８とを並べて目視によって比較し、形状、大きさ、長さ等が一致するかどうかを判断する（例えば、特許文献１参照。）。
【特許文献１】特開２００１−１３４７５８号公報
【発明の開示】
【発明が解決しようとする課題】
【０００８】
しかしながら、前記従来の印鑑照会機においては、顧客が複数の印鑑、例えば、代表者の印鑑のほかに、代理人としての経理責任者、経理担当者等の印鑑の各印影を登録している法人等である場合に、前記表示部１０２の画面にすべての印鑑の登録印影を表示するようにすることが考えられるが、その場合、前記画面を十分に広くする必要が生じる。
【０００９】
ところが、一般の顧客の場合、一つの印鑑だけが登録されるようになっていて、表示部１０２の画面に複数の登録印影１０８を表示する必要はない。
【００１０】
したがって、必要以上に前記画面を十分に広くすることになり、印鑑照会機が大型化し、コストが高くなってしまう。
【００１１】
本発明は、前記従来の印鑑照会機の問題点を解決して、小型化することができ、コストを低くすることができる印鑑照会機を提供することを目的とする。
【課題を解決するための手段】
【００１２】
そのために、本発明の印鑑照会機においては、顧客ごとに登録されている印鑑の登録印影が格納された印鑑サーバと、操作者による操作に基づいて、照会した口座番号に対応する複数の印鑑の登録印影のうちの一つの登録印影を選択し、表示部に表示する登録印影表示処理手段と、照会した口座番号に対応させて、印鑑の登録状況を登録印鑑情報表示部に印鑑の種類で表示し、かつ、前記表示部の画面に表示された登録印影を特定する登録印鑑情報表示処理手段とを有する。
【発明の効果】
【００１３】
本発明によれば、印鑑照会機においては、顧客ごとに登録されている印鑑の登録印影が格納された印鑑サーバと、操作者による操作に基づいて、照会した口座番号に対応する複数の印鑑の登録印影のうちの一つの登録印影を選択し、表示部に表示する登録印影表示処理手段と、照会した口座番号に対応させて、印鑑の登録状況を登録印鑑情報表示部に印鑑の種類で表示し、かつ、前記表示部の画面に表示された登録印影を特定する登録印鑑情報表示処理手段とを有する。
【００１４】
この場合、登録印鑑情報表示部に、照会した口座番号に対応させて、印鑑の登録状況が印鑑の種類で表示されるので、表示部の画面に現在表示されている登録印影の印鑑の種類だけでなく、登録されている他の印鑑の種類も知ることができる。したがって、一つの口座番号に対して複数の印鑑が登録されている場合に、操作者による操作に基づいて、照会した口座番号に対応する複数の印鑑の登録印影のうちの一つの登録印影を選択することができる。また、表示部の画面に複数の登録印影を表示する必要がないので、前記画面を必要以上に広くする必要がなく、印鑑照会機を小型化し、コストを低くすることができる。      
【００１５】
しかも、登録印鑑情報表示部に、登録されている印鑑の種類が表示されるので、目的の登録印影を表示させる場合の操作を簡素化することができ、照会の作業の効率を高くすることができる。
【発明を実施するための最良の形態】
【００１６】
以下、本発明の実施の形態について図面を参照しながら詳細に説明する。
【００１７】
図１は本発明の第１の実施の形態における印鑑照会機及び印鑑サーバのブロック図、図５は本発明の第１の実施の形態における印鑑照会機の斜視正面図、図６は本発明の第１の実施の形態における印鑑データのマトリックス図、図７は本発明の第１の実施の形態における登録印鑑情報表示部の拡大図である。
【００１８】
図において、１１は印鑑照会機、１２はＬＣＤ、ＣＲＴ等から成り、表示用の画面を備えた表示部、１３は、前記印鑑照会機１１に接続され、照会したい口座番号等を入力したり、その他の操作を行ったりするための操作部である。該操作部１３には、０から９までの図示されない数字キー、すなわち、テンキー、図示されないファンクションキー等が配設される。なお、前記操作部１３として、一般のコンピュータのキーボードを使用したり、押ボタン式のボード、ペン入力式のボード、タッチパネル等を使用したりすることもできる。
【００１９】
また、１４は、照会した口座番号に対応させて、印鑑の登録状況を印鑑の種類で表示するための登録印鑑情報表示部、１８は前記表示部１２の画面に表示された登録印影、２１は印鑑照会機１１の全体の制御を行うＣＰＵ、２７は顧客ごとに登録されている印鑑の登録印影１８が格納された印鑑サーバ、２２は該印鑑サーバ２７との間で通信を行うための通信インタフェース部、２４はデータ、プログラム等を格納するメモリ部、２８は、該メモリ部２４内に形成された登録印影格納部であり、該登録印影格納部２８には、照会され、口座番号によって特定され、前記印鑑サーバ２７から読み出された印影イメージデータが格納される。２５は前記表示部１２の画面に表示される画像を処理する画像処理部である。前記登録印鑑情報表示部１４は印鑑照会機１１のフレームの所定の領域に、表示部１２の画面と隣接させて形成される。
【００２０】
ところで、顧客が法人等である場合には、複数の印鑑、例えば、代表者である本人の印鑑のほかに、代理人としての経理責任者、経理担当者等の印鑑を登録することができるようになっていて、前記印鑑サーバ２７には、口座番号をキー情報として、図６に示されるように、本人の印鑑のほかに、例えば、代理人が二人いる場合には代理人１及び２の印鑑が登録され、現在の印鑑である場合に現印鑑として、変更する前の印鑑である場合に旧印鑑として、更に前の印鑑である場合に旧々印鑑として設定される。また、顧客が高齢者、身体障害者等である場合には、本人の印鑑のほかに、代理人としての家族の印鑑を登録することもできる。
【００２１】
そして、本実施の形態においては、本人の現印鑑の印影ｉｍ１、代理人１の現印鑑の印影ｉｍ２、代理人２の現印鑑の印影ｉｍ３、代理人１の旧印鑑の印影ｉｍ４、代理人２の旧印鑑の印影ｉｍ５、及び代理人２の旧々印鑑の印影ｉｍ６が印影イメージデータで、マトリックス状に印鑑サーバ２７に格納される。
【００２２】
そして、図７に示されるように、前記登録印鑑情報表示部１４には、図６の印影マトリックスと１対１で対応させて、複数の（本実施の形態においては、９個の）表示要素としてのＬＥＤ１９がマトリックス状に配列され、該各ＬＥＤ１９は、例えば、「緑」及び「赤」の２色で点灯させられる。すなわち、各ＬＥＤ１９は、第１の状態において「緑」の色で点灯させられ、第２の状態において「赤」の色で点灯させられ、第３の状態において消灯させられる。
【００２３】
次に、前記構成の印鑑照会機１１の動作について説明する。
【００２４】
図８は本発明の第１の実施の形態における登録印鑑情報表示部の表示例を示す第１の図、図９は本発明の第１の実施の形態における登録印鑑情報表示部の表示例を示す第２の図である。
【００２５】
まず、顧客から持ち込まれた図示されない印鑑票に押印されている印影が、前記登録印影１８（図５）と一致するかどうかを判断するために、操作者が操作部１３を操作して顧客の口座番号を入力すると、前記ＣＰＵ２１（図１）は、通信インタフェース部２２を介して、入力された口座番号に対応する登録印影１８を印鑑サーバ２７から読み出す。
【００２６】
前記ＣＰＵ２１の図示されない登録印影表示処理手段は、登録印影表示処理を行い、操作者による操作部１３の操作に基づいて、照会した口座番号に対応する印鑑の登録印影１８を表示部１２の画面に表示する。そして、一つの口座番号に対して複数の印鑑が登録されている場合、前記登録印影表示処理手段は、複数の登録印影のうちの一つの登録印影１８を選択し、表示部１２の画面に表示する。本実施の形態においては、例えば、図６に示されるように、６種類の印鑑の印影ｉｍ１〜ｉｍ６が印鑑サーバ２７に格納されている場合、前記表示部１２の画面には、印影ｉｍ１〜ｉｍ６のうちの一つの印影だけが登録印影１８として表示されるようになっている。そこで、前記ＣＰＵ２１は、照会された口座番号に対応するすべての印影ｉｍ１〜ｉｍ６を、一旦（いったん）前記登録印影格納部２８に格納する。
【００２７】
続いて、前記登録印影表示処理手段は、複数の印鑑のうちの本人の現印鑑の印影ｉｍ１を、デフォルトの登録印影１８として前記表示部１２の画面に表示する。そして、表示部１２の画面に表示されている登録印影１８が、顧客から持ち込まれた前記印鑑票に表示されている印影と異なる場合、登録されている他の印鑑の登録印影を登録印影１８として表示部１２の画面に表示することができる。そのために、操作部１３に、印鑑を選択するための選択部材として図示されないカーソルキー「→」、「←」、「↑」及び「↓」が配設される。
【００２８】
例えば、図９に示されるように、本人の現印鑑の印影ｉｍ１が表示されている状態から代理人１の旧印鑑の印影ｉｍ４を表示させようとする場合、操作者がカーソルキー「→」を押下すると、画面に代理人１の現印鑑の印影ｉｍ２が表示され、続いて、カーソルキー「↓」キーを押下すると、代理人１の旧印鑑の印影ｉｍ４が表示される。同様に、代理人１の旧印鑑の印影ｉｍ４が表示されている状態から代理人２の旧印鑑の印影ｉｍ５を表示させようとする場合、操作者は、カーソルキー「→」を押下する。
【００２９】
なお、登録されていない印鑑を照会しようとした場合、例えば、代理人１の旧印鑑の印影ｉｍ４が表示されている状態から代理人１の旧々印鑑の印影を表示させようとして、カーソルキー「↓」キーを押下しても、無効と判断され、表示は変わらない。
【００３０】
ところで、前記ＣＰＵ２１の図示されない登録印鑑情報表示処理手段は、登録印鑑情報表示処理を行い、照会した口座番号に対応させて、印鑑の登録状況を印鑑の種類、本実施の形態においては、「本人・現印鑑」、「代理人１・現印鑑」、「代理人１・旧印鑑」、「代理人２・現印鑑」、「代理人２・旧印鑑」及び「代理人２・旧々印鑑」として登録印鑑情報表示部１４に表示する。この場合、図８に示されるように、登録されている印鑑、すなわち、「本人・現印鑑」、「代理人１・現印鑑」、「代理人１・旧印鑑」、「代理人２・現印鑑」、「代理人２・旧印鑑」及び「代理人２・旧々印鑑」に対応するＬＥＤ１９は点灯させられ、登録されていない印鑑、すなわち、「本人・旧印鑑」、「本人・旧々印鑑」及び「代理人１・旧々印鑑」に対応するＬＥＤ１９は消灯させられる。なお、登録されている印鑑のうち、表示部１２の画面に登録印影１８が表示されている印鑑、図８においては、「本人・現印鑑」については「緑」色で、表示部１２の画面に登録印影１８が表示されていない印鑑については「赤」色で点灯される。すなわち、前記登録印鑑情報表示処理手段は、前記表示部１２の画面に登録印影１８が表示されている印鑑についてＬＥＤ１９を「緑」色で点灯することによって、表示部１２の画面に表示された登録印影１８を特定する。
【００３１】
したがって、操作者は、登録印鑑情報表示部１４を見ることによって、照会した口座番号においてどの種類の印鑑が登録されているか、現在、表示部１２の画面にどの種類の印鑑の登録印影１８が表示されているかを知ることができる。
【００３２】
このように、本実施の形態においては、登録印鑑情報表示部１４に、照会した口座番号に対応させて、印鑑の登録状況が印鑑の種類で表示されるので、表示部１２の画面に現在表示されている登録印影１８の印鑑の種類だけでなく、登録されている他の印鑑の種類も知ることができる。したがって、一つの口座番号に対して複数の印鑑が登録されている場合に、操作者による操作部１３の操作に基づいて、照会した口座番号に対応する複数の印鑑の登録印影のうちの一つの登録印影１８を選択することができる。また、表示部１２の画面に複数の登録印影を表示する必要がないので、前記画面を必要以上に広くする必要がなく、印鑑照会機１１を小型化し、コストを低くすることができる。
【００３３】
しかも、登録印鑑情報表示部１４に、登録されている印鑑の種類が表示されるので、目的の登録印影１８を表示させる場合の操作部１３の操作を簡素化することができ、照会の作業の効率を高くすることができる。
【００３４】
さらに、一つの口座番号に対して本人の現印鑑だけが登録されている場合においては、登録印鑑情報表示部１４の「本人・現印鑑」に対応するＬＥＤ１９だけが点灯させられるので、操作者は、本人について旧印鑑、旧々印鑑等がないこと、及び代理人１、代理人２等がいないことを容易に知ることができる。
【００３５】
次に、本発明の第２の実施の形態について説明する。なお、第１の実施の形態と同じ構造を有するものについては、同じ符号を付与することによってその説明を省略する。
【００３６】
図１０は本発明の第２の実施の形態における印鑑照会機の斜視正面図、図１１は本発明の第２の実施の形態における登録印鑑情報表示部の拡大図、図１２は本発明の第２の実施の形態における登録印鑑情報表示部の表示例を示す図である。
【００３７】
この場合、表示部１２の画面の所定の箇所、本実施の形態においては、左上の部分に、登録印鑑情報表示部２０が画像によって設定され、該登録印鑑情報表示部２０には、図６の印影マトリックスと１対１で対応させて、複数の（本実施の形態においては、９個の）表示要素としての矩形のマーク３９がマトリックス状に配列され、該各マーク３９は、例えば、点滅及び反転によって点灯される。すなわち、各マーク３９は、第１の状態において点滅させられ、第２の状態において反転させられ、第３の状態において消灯させられる。
【００３８】
そして、前記ＣＰＵ２１（図１）の前記登録印鑑情報表示処理手段は、登録印鑑情報表示処理を行い、照会した口座番号に対応させて、印鑑の登録状況を印鑑の種類、本実施の形態においては、「本人・現印鑑」、「代理人１・現印鑑」、「代理人１・旧印鑑」、「代理人２・現印鑑」、「代理人２・旧印鑑」及び「代理人２・旧々印鑑」で登録印鑑情報表示部２０に表示する。
【００３９】
この場合、図１２に示されるように、登録されている印鑑、すなわち、「本人・現印鑑」、「代理人１・現印鑑」、「代理人１・旧印鑑」、「代理人２・現印鑑」、「代理人２・旧印鑑」及び「代理人２・旧々印鑑」に対応するマーク３９は点灯させられ、登録されていない印鑑、すなわち、「本人・旧印鑑」、「本人・旧々印鑑」及び「代理人１・旧々印鑑」に対応するマーク３９は消灯させられる。さらに、登録されている印鑑のうち、表示部１２の画面に登録印影１８が表示されている印鑑、本実施の形態においては、「本人・現印鑑」について、マーク３９は点滅させられ、表示部１２の画面に登録印影１８が表示されていない印鑑について、マーク３９は反転させられる。
【００４０】
したがって、操作者は、登録印鑑情報表示部２０を見ることによって、照会した口座番号においてどの種類の印鑑が登録されているか、現在、表示部１２の画面にどの種類の印鑑の登録印影１８が表示されているかを知ることができる。
【００４１】
また、登録印鑑情報表示部２０は表示部１２の画面の所定の領域に形成され、印鑑照会機１１のフレームに形成する必要がないので、印鑑照会機１１の構造を簡素化することができるだけでなく、印鑑照会機１１を小型化することができる。
【００４２】
前記各実施の形態においては、登録印影格納部２８に、登録されているすべての印鑑について各印影イメージデータが格納されるようになっているが、登録されている印鑑の種類を表すデータ、すなわち、登録種データだけをコード等によって格納することができる。この場合、登録印影格納部２８のメモリ容量を小さくし、メモリ部２４を小型化することができる。なお、表示部１２の画面に登録印影１８を表示する際に、登録印影表示処理手段は、印影イメージデータを印鑑サーバ２７から読み出す。
【００４３】
次に、本発明の第３の実施の形態について説明する。なお、第２の実施の形態と同じ構造を有するものについては、同じ符号を付与することによってその説明を省略し、同じ構造を有することによる発明の効果については同実施の形態の効果を援用する。
【００４４】
図１３は本発明の第３の実施の形態における登録印鑑情報表示部の拡大図である。
【００４５】
この場合、表示部１２（図１０）の画面の所定の箇所、本実施の形態においては、左上の部分に、登録印鑑情報表示部３０が画像によって設定され、該登録印鑑情報表示部３０には、図６の印影マトリックスと１対１で対応させて、登録されている印鑑について複数の（本実施の形態においては、６個の）表示要素としてのマーク４９がマトリックス状に配列され、該各マーク４９は選択的に点灯される。すなわち、各マーク４９は、第１の状態において「緑」色で点灯され、第２の状態において消灯させられる。
【００４６】
前記登録印鑑情報表示部３０には、マーク４９によって、登録されている印鑑の種類だけでなく、登録されている印鑑の特徴、例えば、丸型、長円型、角形等の形状が識別できるように表示される。
【００４７】
そのために、ＣＰＵ２１（図１）の前記登録印鑑情報表示処理手段は、登録印鑑情報表示処理を行い、印鑑サーバ２７から登録されている印鑑の特徴を表すデータ、すなわち、特徴データを読み出し、該特徴データの中心をマトリックスの中心に一致させて、各印鑑の特徴をマーク４９で表示する。
【００４８】
したがって、操作者は、登録印鑑情報表示部３０に表示されたマーク４９の形状に基づいて、目的とする登録印影１８を速やかに見つけることができるだけでなく、印鑑票の印影を見ながら、特徴が類似する登録印影１８を目視によって容易に抽出することができる。
【００４９】
次に、本発明の第４の実施の形態について説明する。なお、第２の実施の形態と同じ構造を有するものについては、同じ符号を付与することによってその説明を省略し、同じ構造を有することによる発明の効果については同実施の形態の効果を援用する。
【００５０】
図１４は本発明の第４の実施の形態における登録印鑑情報表示部の拡大図である。
【００５１】
この場合、表示部１２（図１０）がタッチパネル式の画面によって構成され、操作部が表示部１２の画面に設定される。そして、該画面の所定の箇所、本実施の形態においては、左上の部分に、登録印鑑情報表示部４０が設定され、該登録印鑑情報表示部４０には、図６の印影マトリックスと１対１で対応させて、登録されている印鑑について複数の（本実施の形態においては、６個の）表示要素としてのマーク５９がマトリックス状に配列され、該各マーク５９は選択的に点灯される。そして、各マーク５９は、第１の状態において「緑」色で点灯され、第２の状態において消灯させられる。また、前記各マーク５９は、登録されている印鑑を選択するための選択部材としてのボタンの機能を有する。
【００５２】
前記登録印鑑情報表示部４０には、マーク５９によって、登録されている印鑑の種類が表示される。また、登録印鑑情報表示部４０において印鑑が登録されていない領域は無効領域６１にされる。
【００５３】
そして、ＣＰＵ２１（図１）の前記登録印鑑情報表示処理手段は、登録印鑑情報表示処理を行い、印鑑サーバ２７から登録されている印鑑の登録状況を、印鑑の種類で登録印鑑情報表示部４０に表示する。
【００５４】
したがって、操作者が、所定のマーク５９にタッチして押下すると、マーク５９に対応する登録印影１８が表示部１２の画面に表示される。
【００５５】
この場合、操作部１３のカーソルを操作する必要がなくなるので、目的の登録印影１８を表示させる場合の操作を一層簡素化することができ、照会の作業の効率を一層高くすることができる。
【００５６】
なお、必要に応じて操作部１３のカーソルを操作することによって、登録印影１８を表示部１２の画面に表示させることもできる。
【００５７】
なお、本発明は前記実施の形態に限定されるものではなく、本発明の趣旨に基づいて種々変形させることが可能であり、それらを本発明の範囲から排除するものではない。
【図面の簡単な説明】
【００５８】
【図１】本発明の第１の実施の形態における印鑑照会機及び印鑑サーバのブロック図である。
【図２】従来の印鑑照会機の斜視正面図である。
【図３】従来の印鑑照会機の要部斜視側面図である。
【図４】従来の印鑑照会機及び印鑑サーバのブロック図である。
【図５】本発明の第１の実施の形態における印鑑照会機の斜視正面図である。
【図６】本発明の第１の実施の形態における印鑑データのマトリックス図である。
【図７】本発明の第１の実施の形態における登録印鑑情報表示部の拡大図である。
【図８】本発明の第１の実施の形態における登録印鑑情報表示部の表示例を示す第１の図である。
【図９】本発明の第１の実施の形態における登録印鑑情報表示部の表示例を示す第２の図である。
【図１０】本発明の第２の実施の形態における印鑑照会機の斜視正面図である。
【図１１】本発明の第２の実施の形態における登録印鑑情報表示部の拡大図である。
【図１２】本発明の第２の実施の形態における登録印鑑情報表示部の表示例を示す図である。
【図１３】本発明の第３の実施の形態における登録印鑑情報表示部の拡大図である。
【図１４】本発明の第４の実施の形態における登録印鑑情報表示部の拡大図である。
【符号の説明】
【００５９】
１１    印鑑照会機
１２    表示部
１３    操作部
１４、２０、３０、４０    登録印鑑情報表示部
１８    登録印影
２１    ＣＰＵ
２７    印鑑サーバ
２８    登録印影格納部
【図１】
2005085196.tif 000003
【図２】
2005085196.tif 000004
【図３】
2005085196.tif 000005
【図４】
2005085196.tif 000006
【図５】
2005085196.tif 000007
【図６】
2005085196.tif 000008
【図７】
2005085196.tif 000009
【図８】
2005085196.tif 000010
【図９】
2005085196.tif 000011
【図１０】
2005085196.tif 000012
【図１１】
2005085196.tif 000013
【図１２】
2005085196.tif 000014
【図１３】
2005085196.tif 000015
【図１４】
2005085196.tif 000016